(57)【要約】【課題】不法侵入者に対する威嚇効果を高めることが可能な照明装置を提供する。【解決手段】カバー２で覆われて、通常照明用として発光可能な光源３と、前記通常照明用光源３に並置されるとともに、前記同一のカバー２で覆われて、威嚇用として発光可能な光源４と、両光源３，４付近の所定エリア内に侵入した人を検知する人感センサ６と、人感センサ６が人を検知した際、平時モードでは前記通常照明用光源３を点灯駆動し、警戒モードでは前記威嚇用光源４を点灯駆動する光源駆動回路８とを備え、前記光源駆動回路８は、前記平時モードと警戒モードとを切替可能な切替部２４を有しており、前記威嚇用光源４として、赤色に発光する発光体を使用する。【選択図】図２
2007293799.tif 000002
【特許請求の範囲】
【請求項１】
カバーで覆われて、通常照明用として発光可能な光源と、
前記通常照明用光源に並置されるとともに、前記同一のカバーで覆われて、威嚇用として発光可能な光源と、
前記光源付近の所定エリア内に侵入した人を検知する人感センサと、
人感センサが人を検知した際、平時モードでは前記通常照明用光源を点灯駆動し、警戒モードでは前記威嚇用光源を点灯駆動する光源駆動回路と、
を備え、
前記光源駆動回路は、前記平時モードと警戒モードとを切替可能な切替部を有しており、
前記威嚇用光源は、赤色に発光する発光体であることを特徴とする照明装置。
【請求項２】
前記警戒モードでは、威嚇用光源が点滅動作するように構成されている請求項１に記載の照明装置。
【請求項３】
周囲の明るさが一定以下になるのを検出する日没センサを有しており、
前記日没センサにより、周囲の明るさが一定以下になるのが検出されてから一定時間後に平時モードから警戒モードに自動的に切り替わるように構成されている請求項１または２に記載の照明装置。
【請求項４】
前記威嚇用光源が赤色発光ダイオードである請求項１〜３のいずれかに記載の照明装置。
【請求項５】
前記人感センサは、前記通常照明用光源及び前記威嚇用光源を備えた照明本体部とは別体の付属体に設けられている請求項１〜４のいずれかに記載の照明装置。
【請求項６】
前記人感センサ及び前記日没センサは、前記通常照明用光源及び前記威嚇用光源を備えた照明本体部とは別体の付属体に設けられている請求項３または４に記載の照明装置。
【請求項７】
前記付属体は遠隔操作用リモコンである請求項５または６に記載の照明装置。
【発明の詳細な説明】
【技術分野】
【０００１】
この発明は、一般住宅などの所定エリア内への不法侵入者に対して威嚇する機能を有し、玄関灯、庭園灯、あるいはポール灯などに適用される照明装置に関する。
【背景技術】
【０００２】
従来より、一般住宅などの玄関や庭に設置される照明装置では、人感センサを設け、一定エリア内に不法侵入した者を検知して光源を点滅させたり、フラッシングさせたりする威嚇機能を備えたものが知られている。
【０００３】
例えば、人感センサが人を検知した際に、周囲の明るさに応じて通常点灯動作させるか、防犯用として点滅動作させるかを切り替えるようにした技術が開示されている（特許文献１参照）。
【０００４】
また、二つの光源を使用し、一方の光源が点滅するモードでは、その点滅の認識性を上げるために、他方の光源を消灯させるようにした技術が開示されている（特許文献２参照）。
【特許文献１】特開２００３−２０３７８４号公報
【特許文献２】特開２００４−３５５８３４号公報
【発明の開示】
【発明が解決しようとする課題】
【０００５】
ところで、この種の照明装置では、構成の複雑化を招くことなく、かつ通常の照明機能を有効に維持しつつ、夜間の不法侵入者に対する威嚇機能が有効に発揮できるものが望まれている。
【０００６】
しかし、前記公知技術を含めて従来のものは、不法侵入者を検知した時に、照明用光源を、例えば点滅状態に切り替えるようにするだけであるから、不法侵入者に対する威嚇効果がやや劣るという問題がある。
【０００７】
この発明は、上記実情に鑑みてなされたものであり、不法侵入者に対する威嚇効果を高めることが可能な照明装置を提供することを課題とする。
【課題を解決するための手段】
【０００８】
［１］カバーで覆われて、通常照明用として発光可能な光源と、前記通常照明用光源に並置されるとともに、前記同一のカバーで覆われて、威嚇用として発光可能な光源と、前記光源付近の所定エリア内に侵入した人を検知する人感センサと、人感センサが人を検知した際、平時モードでは前記通常照明用光源を点灯駆動し、警戒モードでは前記威嚇用光源を点灯駆動する光源駆動回路とを備え、前記光源駆動回路は、前記平時モードと警戒モードとを切替可能な切替部を有しており、前記威嚇用光源は、赤色に発光する発光体であることを特徴とする照明装置。
【０００９】
［２］前記警戒モードでは、威嚇用光源が点滅動作するように構成されている前項［１］に記載の照明装置。
【００１０】
［３］周囲の明るさが一定以下になるのを検出する日没センサを有しており、前記日没センサにより、周囲の明るさが一定以下になるのが検出されてから一定時間後に平時モードから警戒モードに自動的に切り替わるように構成されている前項［１］または［２］に記載の照明装置。
【００１１】
［４］前記威嚇用光源が赤色発光ダイオードである前項［１］〜［３］のいずれかに記載の照明装置。
【００１２】
［５］前記人感センサは、前記通常照明用光源及び前記威嚇用光源を備えた照明本体部とは別体の付属体に設けられている前項［１］〜［４］のいずれかに記載の照明装置。
【００１３】
［６］前記人感センサ及び前記日没センサは、前記通常照明用光源及び前記威嚇用光源を備えた照明本体部とは別体の付属体に設けられている前項［３］または［４］に記載の照明装置。
【００１４】
［７］前記付属体は遠隔操作用リモコンである前項［５］または［６］に記載の照明装置。
【発明の効果】
【００１５】
前項［１］の発明によれば、平時モードでは、人感センサが一定エリア内に侵入した人を検知した際、通常照明用光源が点灯駆動され、切替手段により平時モードから警戒モードに切り替えられていると、前記人感センサの検知動作に伴って、前記威嚇用光源が点灯駆動されて赤色に発光する。つまり、夜中などに一定エリア内に侵入した不審者に対していきなりの発光で威嚇することができ、とくに、前記警戒モードでの威嚇用光源が赤色に発光することにより、不審者に対して危険感を与えて威嚇効果が高められる。
【００１６】
また、前記カバーが威嚇用光源を覆うカバーも兼務しているから、通常時に威嚇用光源の存在が察知されることがないので、威嚇用光源の赤色発光によって不審者に対して喫驚させる効果が大きく、もって有効な防犯性を確保できる。
【００１７】
前項［２］の発明によれば、威嚇用光源が点滅動作するから、不審者者に対して心理的な動揺や焦りを覚えさせて、威嚇・撃退効果が一層高められる。
【００１８】
前項［３］の発明によれば、日没から一定時間が経過しない比較的安全な時間帯では、通常照明用光源の点灯駆動状態、例えば待機発光状態が保持され、一定時間が経過し、夜中のような要警戒の時間帯になれば、平時モードから警戒モードに自動的に切り替えられるから、夜間照明を維持しつつ、防犯用としての機能を有効に生かすことができる。
【００１９】
前項［４］の発明によれば、威嚇用光源が赤色発光ダイオードであるから、長寿命化が図れるうえ、消費電力を低減することができる。
【００２０】
前項［５］［６］の発明では、人感センサは、照明本体部とは別体の付属体に設けられているから、この付属体を例えば住宅の部屋における人の背丈よりも低い位置に配置すれば、人感センサによって人の侵入を確実に検知できるものとなる。
【００２１】
前項［７］の発明では、人感センサが設けられる付属体が遠隔操作用リモコンであるから、人感センサ設置のための新たな部材を設ける必要がなく、照明装置全体として部品点数を削減できる利点がある。
【発明を実施するための最良の形態】
【００２２】
以下、この発明の一実施形態を図面に基づいて説明する。
【００２３】
図１は、この発明の一実施形態に係る照明装置が適用された玄関灯を示す外観図である。
【００２４】
図１において、この玄関灯は、本体シャーシ１と、この本体シャーシ１に装着された前面カバー２と、前記本体シャーシ１内に配備された２つの光源３，４と、これら光源３，４に対する駆動回路実装用配線基板５と、人感センサ６と、日没センサ７とを備えている。
【００２５】
前記本体シャーシ１は、例えば樹脂ないしは金属材などにより前壁面開放の箱形に成形されており、玄関付近の壁などに対してねじ止めなどの固定手段により取り付けられている。前記本体シャーシ１内には、光源３，４にそれぞれ対応する所定のソケット部（図示せず）が配備されている。
【００２６】
前記前面カバー２は、透光性を有し、本体シャーシ１の開口部に装着されるものであり、例えば透光性の乳白色樹脂などにより前記本体シャーシ１の形状に対応して角形に形成されている。この前面カバー２は、前記二つの光源３，４に対して兼用状態で両光源３，４の前方から覆っている。
【００２７】
前記２つの光源３，４のうち、一方の光源３は、平時モードで通常照明用として発光するものであり、例えば、蛍光ランプが使用されている。勿論、白熱電球、ハロゲンランプ、キセノンランプ、発光ダイオード（ＬＥＤ）なども使用可能である。
【００２８】
他方の光源４は、警戒モードで威嚇用として赤色発光する光源であり、例えば、赤色発光のＬＥＤが使用されている。このＬＥＤの個数はこだわらないが、複数個をまとめて使用するのが好ましい。勿論、威嚇用光源４としては、ＬＥＤに限らず、赤色に発光する発光体であれば任意の光源を採用可能である。
【００２９】
前記人感センサ６は、光源３，４付近の一定のエリア内に侵入する人を検知するものであり、例えば赤外線センサなどが使用されている。
【００３０】
前記日没センサ７は、日が暮れて周囲の明るさが一定以下になったのを検知するものであり、例えば照度センサが使用されている。
【００３１】
図２は、この玄関灯の電気的構成を示すブロック図である。
【００３２】
図２において、この玄関灯は、前記両センサ６、７の他に、前記配線基板５に実装された光源駆動回路８を備えている。
【００３３】
光源駆動回路８は、例えば制御部２１、調光部２２、点滅用発信部２３、切替部２４およびタイマ部２５を備えている。
【００３４】
前記制御部２１は、前記人感センサ６および日没センサ７からの検知信号を受けて、平時モードおよび警戒モードに応じて、前記光源３，４を駆動制御するものである。具体的には、前記日没センサ７が日没を検知した際、平時モードでは、前記通常照明用光源３を点灯駆動させ、また、日没後から一定時間経過後に平時モードから警戒モードに切り替った状態で、人感センサ６が一定エリア内に侵入した不審者を検知した際に、前記威嚇用光源４を点滅動作させるように制御する。
【００３５】
前記調光部２２は、例えば日が暮れて周囲の明るさが一定以下になったのを前記日没センサ７が検知した際、前記平時モードでの通常照明用光源３の点灯を、例えば５０％以下で調光して、薄暗い程度の待機発光状態とし、その状態で人感センサ６が人の侵入を検知した際には、例えば１００％で調光して本発光させるようになっている。
【００３６】
前記点滅用発信部２３は、人感センサ６が人の侵入を検知した際に、前記警戒モードでの威嚇用光源４を点滅動作させるものである。
【００３７】
前記切替部２４は、前記制御部２１の制御に応じて平時モードと警戒モードとに自動的切り替えるものである。
【００３８】
前記タイマ部２５は、前記日没センサ７が日没を検知してから一定時間の経過を計時するものであり、例えば６時間経過のタイムアップによって切替部２４の切替を動作させる。
【００３９】
つぎに、上記構成の照明装置の動作を説明する。
【００４０】
日が暮れて周囲の明るさが一定以下になると、日没センサ７が稼働する。この日没センサ７が日没を検知すると、光源駆動回路８における制御部２１が切替部２４を制御して平時モードに切り替えるとともに、調光部２２により前記通常照明用光源３が５０％以下に調光されて、待機発光状態となる。
【００４１】
この平時モードの待機発光状態において、一定エリア内に人が侵入すると、人感センサ６が侵入者を検知し、それに伴って前記調光部２２により前記通常照明用光源３が１００％調光されて本点灯となる。
【００４２】
具体的には、とくに夕方から夜中までの警戒を要しない時間帯においては、平時モードとして、通常照明光源３が５０％以下の調光で薄暗い程度で点灯しており、人感センサ６が前記エリア内に侵入した人を検知した時には、通常照明光源３が１００％調光に切り替わる。これにより、通常照明光源３の本点灯状態で玄関先回りが明るく照光されて、客人の来訪や家人などの帰宅などに良好に対応できる。
【００４３】
なお、前記日没後から一定時間、例えば６時間が経過するまでの間、一定エリア内から、例えば客人が退去すれば、人感センサ６が該客人を検知し、それに伴って前記通常照明用光源３の点灯状態が前記調光部２２により５０％以下の調光に切り替えられて待機発光状態に戻る。
【００４４】
前記日没センサ７の日没検知に伴って、タイマ部２５が計時動作を開始し、前記一定時間を経過するとタイムアップする。その時刻は警戒を要する夜中の時間帯に入るから、前記制御部２１が切替部２４を介して平時モードから警戒モードに切り替える。
【００４５】
この警戒モードにおいて、一定エリア内に人が侵入すると、人感センサ６がそれを検知し、それに伴って前記威嚇用光源４が駆動されて点滅発光する。
【００４６】
前記一定エリア内に不法に人が侵入した場合に、平時モードでの照明状態からいきなり前記威嚇用光源４が点灯し、しかも点滅発光することによって、侵入者に対して威嚇することができる。つまり、この点滅発光は、精神状態を不安定にさせる効果が高く、平常心で犯行に及ばせないといった防犯効果がある。
【００４７】
とくに、前記威嚇用光源４が赤色で点滅発光するから、不法侵入者に対する威嚇効果が効果的に発揮される。
【００４８】
ところで、赤色発光の威嚇効果に関して、例えばパトカーのライトのように赤色フードを透して赤色照光させる構成もあるが、これは常時赤色フードが視認できる状態であるから、赤色で照明されることを予測でき、光源が点滅してもその分、威嚇効果に劣る。
【００４９】
これに対して、この例のように、威嚇用光源４が通常照明用光源３と同じ前面カバー２で常時覆われているから、その存在を事前に察知ができないし、その状況から不法侵入を検知すれば、即座に赤色発光が点滅することにより、威嚇効果が高く、信頼性の高い防犯性が保証される。
【００５０】
前記威嚇用光源４の点滅発光は、一定な状態であってもよいが、点滅に変化を持たせるの好ましい。例えば０％→１００％→０％→１００％・・・の点滅パターンで繰り返すようにすれば、不審者に対する不安感の増大で威嚇効果が高められる。その点滅切り替えは、例えば０．２５秒程度に設定するのが好ましい。
【００５１】
なお、前記威嚇用光源４が通常照明用光源３と同じ前面カバー２で覆われているから、昼間における外観に違和感を与えることもない上、両光源３，４の保護が確保される。
【００５２】
また、上記実施形態では、平時モードと警戒モードの切り替えを制御部２１が切替部２４を制御して自動的に行うようにした例で説明したが、切替部２４を手動式として、日没検知から一定時間が経過した際に、平時モードから手動により警戒モードに切り替えることも可能である。
【００５３】
また、上記実施形態では、人感センサ６及び日没センサ７は、いずれも、通常照明用光源３及び威嚇用光源４を備えた照明本体部に設けられていたが、特にこのような構成に限定されるものではなく、図３に示すように、人感センサ６及び日没センサ７が、通常照明用光源３及び威嚇用光源４を備えた照明本体部４０とは別体の付属体４１に設けられた構成を採用することもできる。
【００５４】
図３に示す照明装置は、屋内照明装置であり、例えば住宅の居室等に設置されるものである。この屋内照明装置は、本体シャーシ１と、この本体シャーシ１に装着されるカバー２と、前記本体シャーシ１に取り付けられた通常照明用光源３及び威嚇用光源４と、前記本体シャーシ１に取り付けられた光源駆動回路８と、前記カバー２及び前記光源３、４を備えた照明本体部４０とは別体の遠隔操作用リモコン４１に設けられた人感センサ６と、前記遠隔操作用リモコン４１に設けられた日没センサ７と、を備えている。前記人感センサ６の検知信号は前記光源駆動回路８に送信されるようになされている。また、前記日没センサ７の検知信号も前記光源駆動回路８に送信されるようになされている。また、前記カバー２は、透光性の乳白色樹脂等により形成されている。なお、この屋内照明装置の動作機構は、前記実施形態と同様であるので、その説明は省略する。本実施形態では、前記遠隔操作用リモコン４１は、置き式タイプのボックス形状に構成されているが、特にこのような構成に限定されるものではなく、例えば一般的なハンディタイプ仕様に構成されていても良い。
【００５５】
なお、上記いずれの実施形態においても、威嚇用光源４の配置数は１灯であるが、特に１灯に限定されるものではなく、２以上の複数灯配置された構成を採用することもできる。
【００５６】
また、上記いずれの実施形態においても、威嚇用光源４と光源駆動回路８は互いに別部材として構成されているが、特にこのような構成に限定されるものではなく、例えば威嚇用光源４と光源駆動回路８とが合体して１つの部材として構成されていても良いことは言うまでもない。
【産業上の利用可能性】
【００５７】
この照明装置は、玄関灯に限らず、庭園灯、ポールに支持されたポール灯などの各種屋外照明装置に適用可能であり、また、屋外照明装置に限らず、ホールや倉庫などの各種施設内の照明のための屋内照明装置でも適用可能である。
【図面の簡単な説明】
【００５８】
【図１】この発明の一実施形態に係る照明装置が適用された玄関灯を示す外観図である。
【図２】同じく玄関灯の電気的構成を示すブロック図である。
【図３】この発明の他の実施形態に係る照明装置を示す斜視図である。
【符号の説明】
【００５９】
２    カバー
３    通常照明用光源
４    威嚇用光源（赤色発光体）
６    人感センサ
７    日没センサ
８    光源駆動回路
２４  切替部
４０  照明本体部
４１  付属体（遠隔操作用リモコン）
【図１】
2007293799.tif 000003
【図２】
2007293799.tif 000004
【図３】
2007293799.tif 000005